【手続補正書】
【提出日】平成18年11月30日(2006.11.30)
【手続補正１】
【補正対象書類名】明細書
【補正対象項目名】特許請求の範囲
【補正方法】変更
【補正の内容】
【特許請求の範囲】
【請求項１】
通信回線又はメディア媒体を用いてコンテンツの配信を行い、送出側で暗号化したコンテンツを受信側で暗号化状態のまま蓄積し、コンテンツ利用時にコンテンツと共に送出側より配信されるコンテンツの提示方法・利用条件・コンテンツの暗号鍵の各情報を含むコンテンツの関連情報を格納したメタデータにより、受信側でコンテンツの利用に関する判断をすることによりコンテンツに対する課金制御及び／又は権利保護を可能とするデータ配信方法において、
ひとつ又は複数の放送単位でグルーピングされるトランスポートストリーム（ＴＳ）が配信され、
各ＴＳ毎に含まれる複数のエレメンタリストリーム（ＥＳ）としては、
ネットワークの構成を示す各ＴＳ内で共通な情報であるネットワークインフォメーションテーブル（ＮＩＴ）によるＮＩＴストリームと、
各ＴＳ内で配信される各サービスを示すプログラムマップテーブル（ＰＭＴ）の配信位置を格納したプログラム特定テーブル（ＰＡＴ）によるＰＡＴストリームと、
各ユーザー毎の事前契約用メタデータを格納した事前契約用メタデータストリームと、
各ＴＳ内で有料放送を含む限定サービスが行われ、事前契約用メタデータが配信されている場合に存在し、限定受信に関するＴＳパケットの識別子を示す限定受信方式記述子を含む限定アクセステーブル（ＣＡＴ）によるＣＡＴストリームと
を含み、
受信端末は、ＣＡＴ内の限定受信方式記述子により事前契約用メタデータの配信位置を求め、事前契約メタデータを受信する処理を実行するようにしたデータ配信方法。
【請求項２】
請求項１に記載のデータ配信方法であって、
受信端末は、指定されたネットワークＩＤ、サービスＩＤ及び／又はコンテンツＩＤにより、提示中もしくは初期値として設定されているトランスポートストリーム（ＴＳ）内のストリーム群より、伝送路の情報と放送サービスを関連つけてネットワーク全体の構成を示すＮＩＴを受信するステップと、
受信端末は、前記受信するステップで受信したＮＩＴにより、要求されたサービスＩＤが配信されているＴＳの配信位置を認識し、認識したＴＳ内に、優先的に取得すべき事前契約用メタデータの伝送位置を示す情報を含むＣＡＴが存在するか判定するステップと、
受信端末は、前記判定するステップによりＣＡＴが配信されていると判定した場合は、事前契約用メタデータを取得するステップと
を含むデータ配信方法。
【請求項３】
請求項２に記載のデータ配信方法であって、
受信端末は、前記判定するステップによりＣＡＴが存在しないと判定した場合は、要求したチャンネル内のデータ構成を示すＰＭＴの配信位置を含むＰＡＴを受信し、ＰＡＴによりＰＭＴを取得することにより、コンテンツの蓄積可否制御及び／又は受信を行うステップをさらに含むデータ配信方法。
【請求項４】
請求項１又は２に記載のデータ配信方法であって、
受信端末は、選択されたチャンネル又はコンテンツに対するデータがデフォルト設定されているＴＳ内で配信されているか確認を行うため、ＴＳパケットを受信しＰＡＴを組み立てるＰＡＴ受信ステップと、
受信端末は、組み立てられたＰＡＴ内に選択されたチャンネル又はコンテンツに対する情報が配信されているかを識別するサービス識別子検索ステップと、
受信端末は、選択されたチャンネルに対する情報がＰＡＴに存在しない場合は、どのＴＳで選択されたチャンネルが配信されているかを認識するためＮＩＴを受信して組み立てるＮＩＴ受信ステップと、
受信端末は、ＮＩＴ内のサービスリスト記述子により、選択されたチャンネルがどのＴＳで配信されているか、及び、サービスタイプを識別するサービスタイプ識別ステップと
受信端末は、サービスリスト記述子により蓄積型のサービスが設定されている場合は、受信処理を行いＣＡＴが存在するかを識別するＣＡＴ存在判定ステップと、
受信端末は、ＣＡＴを伝送するＴＳパケットが存在する場合は、事前契約用メタデータ受信処理を実行するステップ
を含むデータ配信方法。
【請求項５】
請求項４において、
前記ＣＡＴ存在判定ステップで、ＣＡＴが存在しないと判定された場合は、受信端末はＴＳ内のＰＡＴを受信するステップと、
受信端末はＰＡＴを受信したら、選択されたチャンネルの情報が記述されているＰＭＴを組み立てるステップと、
受信端末は、組み立てられたＰＭＴを解析することにより受信処理を行うステップを
さらに含むデータ配信方法。
【請求項６】
請求項４に記載のデータ配信方法であって、
受信端末は、サービスリスト記述子により蓄積型のサービス以外のサービス形式が指定されている場合は、現在規格で規定されている既存型の受信処理を行うステップをさらに含むデータ配信方法。
【請求項７】
請求項１乃至６のいずれかに記載のデータ配信方法であって、
ＴＳ内にＣＡＴが存在する場合に実行される事前契約用メタデータ受信処理は、
所定のＴＳパケットを受信しＣＡＴを組み立てるステップと、
組み立てられたＣＡＴに内に格納されている限定受信方式記述子により、事前契約用メタデータストリームの受信を行うステップと、
受信端末内の権利保護機能（ＲＭＰ）内に格納された端末ＩＤ又は個人ＩＤにより受信した事前契約用メタデータストリーム内に自端末宛の情報が存在するか判定を行うステップと、
ＲＭＰが保持する端末ＩＤ又は個人ＩＤに対する事前契約用メタデータが存在しない場合は、ＰＡＴ受信を再開するステップと、
一方、該当する事前契約用メタデータが存在する場合はＲＭＰに対し事前契約用メタデータを受け渡し、ＰＡＴ受信を再開するステップ
を含むデータ配信方法。
【請求項８】
請求項７に記載のデータ配信方法であって、前記蓄積処理は、
ＰＭＴ内のコンテンツ利用情報記述子に格納されたコンテンツの蓄積可否情報に蓄積可と記述されている場合は、コンテンツ利用情報記述子により指定された該当するコンテンツ利用メタデータ内の蓄積再生用メタデータを蓄積媒体内に一時蓄積するステップと、
コンテンツ利用メタデータ内の鍵配信用メタデータをＲＭＰに受け渡すステップと、
無料放送等の非限定放送であればＲＭＰに格納されている全受信端末で共通のシステム鍵Ｋｓｙでコンテンツを復号し、一方、有料放送等の限定放送であればＲＭＰに格納されている事業者毎に異なる事業者鍵Ｋｗでコンテンツを復号するステップと、
事前契約用メタデータ内の契約情報と鍵配信用メタデータに格納されている対象契約情報とを比べ、ユーザーのアクセスが許諾される情報であれば蓄積媒体内に一時蓄積されたコンテンツ及び蓄積再生用メタデータを正式に格納し、一方許諾されない情報であれば、それを消去するステップと
を含むデータ配信方法。
【請求項９】
請求項１のデータ配信方法において、送出側では、ＭＰＥＧ２システムに規定されたＰＳＩ情報を拡張することにより受信側にメタデータを配信し、受信側では、該メタデータを利用することによりコンテンツの蓄積及び受信を行うことを特徴とするデータ配信方法。
【請求項１０】
請求項９のデータ配信方法において、コンテンツの蓄積可否に関する情報をＰＳＩ上に記述することにより、メタデータ解析前にコンテンツの受信蓄積処理を行うことを特徴とするデータ配信方法。
【請求項１１】
請求項９のデータ配信方法において、メタデータの配信位置に関する情報をＰＳＩ上に記述することによりメタデータリスト解析前にメタデータの受信蓄積処理を行うことを特徴とするデータ配信方法。
【請求項１２】
通信回線又はメディア媒体を用いてコンテンツの配信を行い、送出側で暗号化したコンテンツを受信側で暗号化状態のまま蓄積し、コンテンツ利用時にコンテンツと共に送出側より配信されるコンテンツの提示方法・利用条件・コンテンツの暗号鍵の各情報を含むコンテンツの関連情報を格納したメタデータにより、受信側でコンテンツの利用に関する判断をすることにより、受信側でコンテンツの利用に関する判断をすることによりコンテンツの課金制御及び／又は権利保護を可能とするデータ配信方法において、
一つ又は複数の放送単位でグルーピングされるトランスポートストリーム（ＴＳ）が配信され、
各ＴＳ毎に含まれる複数のエレメンタリストリーム（ＥＳ）としては、
ネットワークの構成を示す各ＴＳ内で共通な情報であるネットワークインフォメーションテーブル（ＮＩＴ）によるＮＩＴストリームと、
各ＴＳ内で配信される各サービスを示すプログラムマップテーブル（ＰＭＴ）の配信位置を格納したプログラム特定テーブル（ＰＡＴ）によるＰＡＴストリームと、
各ユーザー毎の事前契約用メタデータを格納した事前契約用メタデータストリームと、
各ＴＳ内で有料放送を含む限定サービスが行われ、事前契約用メタデータが配信されている場合に存在し、限定受信に関するＴＳパケットの識別子を含む限定アクセステーブル（ＣＡＴ）によるＣＡＴストリームとを含み、
受信側でＣＡＴ内の限定受信方式記述子により事前契約用メタデータの配信位置を求め、事前契約用メタデータの受信処理を実行可能にしたデータ配信方法。
【手続補正２】
【補正対象書類名】明細書
【補正対象項目名】０００６
【補正方法】変更
【補正の内容】
【０００６】
本発明の第１の解決手段によると、
通信回線又はメディア媒体を用いてコンテンツの配信を行い、送出側で暗号化したコンテンツを受信側で暗号化状態のまま蓄積し、コンテンツ利用時にコンテンツと共に送出側より配信されるコンテンツの提示方法・利用条件・コンテンツの暗号鍵の各情報を含むコンテンツの関連情報を格納したメタデータにより、受信側でコンテンツの利用に関する判断をすることによりコンテンツに対する課金制御及び／又は権利保護を可能とするデータ配信方法において、
ひとつ又は複数の放送単位でグルーピングされるトランスポートストリーム（ＴＳ）が配信され、
各ＴＳ毎に含まれる複数のエレメンタリストリーム（ＥＳ）としては、
ネットワークの構成を示す各ＴＳ内で共通な情報であるネットワークインフォメーションテーブル（ＮＩＴ）によるＮＩＴストリームと、
各ＴＳ内で配信される各サービスを示すプログラムマップテーブル（ＰＭＴ）の配信位置を格納したプログラム特定テーブル（ＰＡＴ）によるＰＡＴストリームと、
各ユーザー毎の事前契約用メタデータを格納した事前契約用メタデータストリームと、
各ＴＳ内で有料放送を含む限定サービスが行われ、事前契約用メタデータが配信されている場合に存在し、限定受信に関するＴＳパケットの識別子を示す限定受信方式記述子を含む限定アクセステーブル（ＣＡＴ）によるＣＡＴストリームと
を含み、
受信端末は、ＣＡＴ内の限定受信方式記述子により事前契約用メタデータの配信位置を求め、事前契約メタデータを受信する処理を実行するようにしたデータ配信方法が提供される。
本発明の第２の解決手段によると、
通信回線又はメディア媒体を用いてコンテンツの配信を行い、送出側で暗号化したコンテンツを受信側で暗号化状態のまま蓄積し、コンテンツ利用時にコンテンツと共に送出側より配信されるコンテンツの提示方法・利用条件・コンテンツの暗号鍵の各情報を含むコンテンツの関連情報を格納したメタデータにより、受信側でコンテンツの利用に関する判断をすることにより、受信側でコンテンツの利用に関する判断をすることによりコンテンツの課金制御及び／又は権利保護を可能とするデータ配信方法において、
一つ又は複数の放送単位でグルーピングされるトランスポートストリーム（ＴＳ）が配信され、
各ＴＳ毎に含まれる複数のエレメンタリストリーム（ＥＳ）としては、
ネットワークの構成を示す各ＴＳ内で共通な情報であるネットワークインフォメーションテーブル（ＮＩＴ）によるＮＩＴストリームと、
各ＴＳ内で配信される各サービスを示すプログラムマップテーブル（ＰＭＴ）の配信位置を格納したプログラム特定テーブル（ＰＡＴ）によるＰＡＴストリームと、
各ユーザー毎の事前契約用メタデータを格納した事前契約用メタデータストリームと、
各ＴＳ内で有料放送を含む限定サービスが行われ、事前契約用メタデータが配信されている場合に存在し、限定受信に関するＴＳパケットの識別子を含む限定アクセステーブル（ＣＡＴ）によるＣＡＴストリームとを含み、
受信側でＣＡＴ内の限定受信方式記述子により事前契約用メタデータの配信位置を求め、事前契約用メタデータの受信処理を実行可能にしたデータ配信方法が提供される。